(57)【要約】【課題】  敢えて運動のための準備などを要することなく簡単に体質改善が可能な構成を備え首伸張機構提供する。【解決手段】  足底を載置可能で該足底の形状に倣った外形を有し、踵の後方に張り出した拡張部１Ａ１が設けられている厚さが均一の足載せ部１Ａと、足載せ部１Ａにおける足先部に対応する位置に設けられて使用者の爪先を包み込むことで足載せ部１Ａに固定保持するための足先押さえ部１Ｂと、足載せ部１Ａにおける拡張部１Ａ１上面において上方に向けて突出し、足先押さえ部１Ｂにより使用者の爪先が包み込まれた際に上記踵が移動するのを防止する踵位置決め部１Ｃと、踵位置決め部１Ｃに基部が固定され、使用者の踵後面が踵位置決め部１Ｃに当接した状態で足首を牽引して使用者の下肢が上記足載せ部１Ａに対して鈍角となる状態で拘束する牽引部材２と、を備えた特徴としている。【選択図】        図１
2005304658.tif 000002
【特許請求の範囲】
【請求項１】
足底を載置可能で該足底の形状に倣った外形を有し、踵の後方に張り出した拡張部が設けられている厚さが均一の足載せ部と、
上記足載せ部における足先部に対応する位置に設けられて使用者の爪先を包み込むことで該足載せ部に固定保持するための足先押さえ部と、
上記足載せ部における拡張部上面において上方に向けて突出し、上記足先押さえ部により使用者の爪先が包み込まれた際に上記踵が移動するのを防止する踵位置決め部と、
上記踵位置決め部に基部が固定され、使用者の踵後面が上記踵位置決め部に当接した状態で足首を牽引して使用者の下肢が上記足載せ部に対して鈍角となる状態で拘束する牽引部材と、
を備えたことを特徴とする足首伸張機構。
【請求項２】
請求項１記載の足首伸張機構において、
上記足先押さえ部および／または上記牽引部材は、上記爪先若しくは足首の周囲を囲繞する長さを調節可能なバンド部材で構成されていることを特徴とする足首伸張機構。
【請求項３】
請求項１または２記載の足首伸張機構において、
上記足先押さえ部と上記踵位置決め部との間の間隔は調整可能であることを特徴とする足首伸張機構。
【請求項４】
請求項１乃至３のうちの一つに記載の足首伸張機構において、
上記足載せ部には少なくとも足底の土踏まず部に対応する位置に突起部が設けられていることを特徴とする足首伸張機構。
【請求項５】
請求項１乃至４のうちの一つに記載の足首伸張機構を用いることをと特徴とする履き物。
【発明の詳細な説明】
【技術分野】
【０００１】
本発明は、足首伸張機構および履き物に関し、さらに詳しくは、下肢の筋肉を伸張させるための機構に関する。
【背景技術】
【０００２】
健康志向の多様化により履き物においても老化は足からという見地に立ち、種々工夫した製品が案出されてきている。
例えば、長時間の着座姿勢による足のむくみなどを解消するために、サンダルの底部の厚さを踵部分と爪先部分とで異ならせ、爪先部分を厚くすることにより足底を載せた際にアキレス腱を伸張させる構成（例えば、特許文献１）、あるいは側面視形状が三角形状とされて歩く際に爪先と踵とが交互に下がるようにした構成（例えば、特許文献２）がある。
【特許文献１】登録実用新案３０７７４９７号
【特許文献２】特開２００２−３２０５０１号公報（段落「０００４」欄）
【発明の開示】
【発明が解決しようとする課題】
【０００３】
しかし、近年では、特許文献に開示されているように下肢の場合でいうと、アキレス腱の伸張により血行障害を改善させる方法もあり、一般的にはストレッチ運動が知られている。また、下肢には東洋医学でいうところの経点（ツボ）が多く存在しており、これら経点への刺激により体質改善を図ることも実行されている。
しかし、ストレッチ運動や経点への刺激を行う際には、運動するための準備やそのための態勢や姿勢を採る必要があり、運動のための時間を準備することなく、例えばデスクワークを継続しながらストレッチ運動や経点への刺激を与える格好ができない場合がある。また、履き物において上述したような構成を用いると、習熟度によっては却って足首を痛めたりする虞もある。
本発明の目的は、上記従来の足首伸張機構における問題に鑑み、敢えて運動のための準備などを要することなく簡単に体質改善が可能な構成を備えた首伸張機構およびサンダルを提供することにある。
【課題を解決するための手段】
【０００４】
請求項１記載の発明は、足底を載置可能で該足底の形状に倣った外形を有し、踵の後方に張り出した拡張部が設けられている厚さが均一の足載せ部と、上記足載せ部における足先部に対応する位置に設けられて使用者の爪先を包み込むことで該足載せ部に固定保持するための足先押さえ部と、上記足載せ部における拡張部上面において上方に向けて突出し、上記足先押さえ部により使用者の爪先が包み込まれた際に上記踵が移動するのを防止する踵位置決め部と、上記踵位置決め部に基部が固定され、使用者の踵後面が上記踵位置決め部に当接した状態で足首を牽引して使用者の下肢が上記足載せ部に対して鈍角となる状態で拘束する牽引部材と、を備えたことを特徴としている。
請求項２記載の発明は、請求項１記載の足首伸張機構において、上記足先押さえ部および／または上記牽引部材が上記爪先若しくは足首の周囲を囲繞する長さを調節可能なバンド部材で構成されていることを特徴としている。
請求項３記載の発明は、請求項１または２記載の足首伸張機構において、上記足先押さえ部と上記踵位置決め部との間の間隔は調整可能であることを特徴としている。
請求項４記載の発明は、請求項１乃至３のうちの一つに記載の足首伸張機構において、上記足載せ部には少なくとも足底の土踏まず部に対応する位置に突起部が設けられていることを特徴としている。
請求項５記載の発明は、請求項１乃至４のうちの一つに記載の足首伸張機構を履き物に用いたことを特徴としている。
【発明の効果】
【０００５】
請求項１および５記載の発明によれば、足載せ部に使用者の足が載せられると、足先が足先押さえ部により固定保持された状態で踵位置決め部およびこれに対して足首を拘束する牽引部材により足首が足載せ部に対して鈍角の状態となるので、使用者の前頸骨筋が必然的に伸張されることになる。これにより、足載せ部に足を載せて足首を踵位置決め部に拘束するだけの簡単な準備により前頸骨筋が伸張されて血行不良が改善され、血液やリンパの流れが促進されることになる。
請求項２記載の発明によれば、足先押さえ部および／または牽引部材が爪先若しくは足首の周囲を囲繞する長さを調整可能なバンド部材で構成されているので、爪先や足首の大きさに関係なく単一部材を用いて爪先の固定保持や足首の拘束が行えることで前頸骨筋の伸張を確実に行わせることが可能となる。
請求項３記載の発明によれば、足先押さえ部と踵位置決め部との間の間隔が調整可能であるので、足の大きさに関係なく単一の構成を用いることができる。
請求項４記載の発明によれば、足載せ部における少なくとも土踏まずに対応した突起部が設けられているので、足首の伸張による血行やリンパの流れ改善に加えて足裏に存在する経点（ツボ）への刺激により血液やリンパの流れを促進することが可能となる。
【発明を実施するための最良の形態】
【０００６】
以下、図面に示す実施例により本発明を実施するための最良の形態について説明する。
【実施例】
【０００７】
図１および図２には、本発明実施例による足首伸縮機構を備えた履き物の一つとしてサンダルが示されている。
同図においてサンダル１は、足底を載せることができる均一厚さの足載せ部１Ａと、使用者の爪先を固定保持可能な足先押さえ部１Ｂと、使用者の踵の移動を防止する踵位置決め部１Ｃと、踵位置決め部１Ｃに対して使用者の踵を当接させる向きに牽引して足首を足載せ部１Ａに対して鈍角な状態に維持させるための牽引部材２とを主要部として備えている。
足載せ部１Ａは、足形に倣った外形を有しており、その足先部に対応する位置には、図２に示すように、基部が足載せ部１Ａの測縁に一体化されている一対のバンド部材からなる足先押さえ部１Ｂが設けられている。
足先押さえ部１Ｂは、基部から張り出す先端部同士を使用者の爪先に迂回させて爪先を固定保持することができる部材であり、迂回させた先端同士を結合するために、先端には互いに結合させることが可能なマジックテープ（商品名）などの面状ファスナー２Ａが設けてある。
足先押さえ部材１Ｂは、相互の先端に位置する面状ファスナー２Ａ同士を結合させることで使用者の爪先を包み込んだ状態で保持することができる。なお、足先押さえ部材１Ｂとしては、使用者の爪先を包み込んで保持できる構成であれば良く、上述した一対に分割可能なバンド部材に変えて、連続するリング状とすることも可能である。
足載せ部１Ａに有する拡張部１Ａ１の上面には、上方に向けて突出し、踵後面の形状に略倣った形状の踵当て面を有する踵位置決め部１Ｃが設けられている。
踵位置決め部１Ｃは、踵当て面に踵が当たった場合に変形しにくい樹脂部材あるいは比較的硬度の高いゴムなどの弾性体で構成されている。
踵位置決め部１Ｃには、足載せ部１Ａの測縁に一体化されたバンド部材からなる牽引部材２が設けられており、牽引部材２は、踵位置決め部１Ｂに向けて使用者の足首を牽引して足載せ部１Ａに対して足首の角度を鈍角に維持させるための部材として用いられる。
牽引部材２は、上述した足先押さえ部材１Ｂと同様に先端に面状ファスナー２Ａが設けられ、足首を迂回させる長さあるいは牽引力を調整した状態で互いに結合される。
【０００８】
本実施例は以上のような構成であるから、図３に示すように、足載せ部１Ａに使用者が足を載せた状態で、爪先が足先押さえ部材１Ｂにより固定保持され、牽引部材２により踵後面が踵位置決め部１Ｃに当接する向きに牽引（図３中、矢印Ｂで示す方向の牽引）されて位置決めされる。
踵位置決め部１Ｃにより踵後面が当接した状態で足首が牽引されると、下肢の足首および前頸骨筋が伸張（図３中、矢印Ａで示す方向への伸張）される。このため、収縮状態にあった前頸骨筋内の血管が拡張されて血液の流れを増加させることができ、またリンパの流れも増加されることになる。
このような血行およびリンパの流れの改善が得られることにより、血行障害が原因するといわれている肥満や臓器の運動不良、血圧上昇およびこれによる耳鳴りや低血圧の改善さらには精力増強や冷え性の改善、また、肩こりや腰痛の改善などが期待できる。
【０００９】
本実施例におけるサンダル１は、足載せ部１Ａが均一厚さであるので、体重を足載せ部１Ａに作用させた場合でもバランスを崩すといった現象がなく、継続的に前頸骨筋に対して伸張作用を及ぼすことができるので、着座姿勢においてもあるいは仰臥姿勢にあっても前頸骨筋の伸張維持ができる。これにより、特許文献に挙げた構成のような特別な姿勢を前提としない分、如何様な機会においても上述した改善作用を期待することが可能となる。
【００１０】
次に本実施例における要部の変形例について説明する。
本変形例は、足押さえ部１Ｂと踵位置決め部１Ｃとの間の間隔を調整可能にした点を特徴としている。
すなわち、足載せ部１Ａの拡張部１Ａ１は足載せ部１Ａに対して着脱可能に設けられており、踵後方に張り出す長さを変えることができるようになっている。着脱のための構成に関しては、図示しないが、足載せ部１Ａの一部に拡張部１Ａ１が嵌り込んだ状態で固定される構成や、足載せ部１Ａの後部とこれに対向する拡張部１Ａ１の端面とに蟻溝を用いた係合構造を設け、拡張部１Ａ１を上方から足載せ部１Ａの蟻溝に嵌め込む構成などが用いられる。
一方、拡張部１Ａ１の上面に位置する踵位置決め部１Ｃは、拡張部１Ａ１の位置に対応してあるいは使用者の足のサイズに応じた踵後面の位置に対応する位置に取り付けられるようになっている。この構成により、使用者の足のサイズに応じた踵位置決め部１Ｃの位置を調整することとなり、仮に足押さえ部１Ｂが固定した位置であっても使用者の足のサイズに応じて踵位置決め部との間の間隔を調整できる。次に、本実施例における要部のさらなる変形例について説明する。
【００１１】
本変形例は、足載せ部において使用者の足裏にある少なくとも土踏まずに対応する位置に突起を設けた点を特徴としている。
図４は、この構成を示す図２相当の図であり、同図において足載せ部１Ａには、使用者の足裏にある土踏まずに対応する位置およびこれ以外にも足裏にあるとされる経点（ツボ）に対応する位置の複数箇所に突起１Ａ２が設けられている。
この構成においては、踵位置決め部材１Ｃおよび牽引部材２による足首の鈍角状態維持に加えて、足裏での経点（ツボ）への刺激を加えることができ、前頸骨筋の伸張に加えて経点刺激による血行改善およびリンパの流れ改善作用をより向上させることができる。
【図面の簡単な説明】
【００１２】
【図１】本発明実施例による足首伸張機構を用いたサンダルを示す図である。
【図２】図１に示したサンダルにおける足先押さえ部および牽引部材の構成を示す図である。
【図３】図１に示したサンダルを用いた場合の前頸骨筋への作用を説明するための図である。
【図４】本実施例における要部の変形例の一つを示す図である。
【符号の説明】
【００１３】
１    サンダル
１Ａ  足載せ部
１Ａ１  拡張部
１Ａ２  突起
１Ｂ  足先押さえ部
１Ｃ  踵位置決め部
２  牽引部材
【図１】
2005304658.tif 000003
【図２】
2005304658.tif 000004
【図３】
2005304658.tif 000005
【図４】
2005304658.tif 000006